(57)【要約】【課題】ピンホールの発生を抑制して密封性の低下を防ぐことができる包装袋を提供する。【解決手段】積層フィルム６０の周縁を熱接着部１４により熱接着して内部に形成される収納部１５内に内容物２０を収納する包装袋１０において、積層フィルム６０が一方向に易引裂性を有し、熱接着部１４の外縁に始端を有して易引裂方向（Ｙ方向）に対して直交方向（Ｘ方向）に延びるとともに収納部１５の易引裂方向（Ｙ方向）の一端部に設けられる開封用切れ目１１と、開封用切れ目１１の終端側の収納部１５上を易引裂方向（Ｙ方向）に引き裂くきっかけとなる縦開封開始部１３ａとを設けた。【選択図】図１
2015058952.tif 000002
【特許請求の範囲】
【請求項１】
積層フィルムの周縁を熱接着部により熱接着して内部に形成される収納部内に内容物を収納する包装袋において、前記積層フィルムが一方向に易引裂性を有し、前記熱接着部の外縁に始端を有して前記積層フィルムの易引裂方向に対して直交方向に延びるとともに前記収納部の前記易引裂方向の一端部に設けられる開封用切れ目と、前記開封用切れ目の終端側の前記収納部上を前記易引裂方向に引き裂くきっかけとなる縦開封開始部とを備えたことを特徴とする包装袋。
【請求項２】
前記縦開封開始部は前記易引裂方向において前記開封用切れ目と反対側の前記熱接着部の外縁に設けられた第１ノッチを有することを特徴とする請求項１に記載の包装袋。
【請求項３】
前記縦開封開始部は前記易引裂方向において前記開封用切れ目と同じ側の前記熱接着部の外縁に第１ノッチに対向して設けられた第２ノッチを有することを特徴とする請求項２に記載の包装袋。
【請求項４】
前記開封用切れ目の終端が前記縦開封開始部を通る前記易引裂方向の直線上に配されることを特徴とする請求項１〜請求項３のいずれかに記載の包装袋。
【請求項５】
前記縦開封開始部は前記開封用切れ目の終端から前記易引裂方向に連続する切り込みを有することを特徴とする請求項４に記載の包装袋。
【請求項６】
前記積層フィルムが一軸延伸フィルムを含み、前記一軸延伸フィルムの延伸方向と前記易引裂方向が一致することを特徴とする請求項１〜請求項５のいずれかに記載の包装袋。
【請求項７】
前記開封用切れ目が一列のミシン目状に形成されることを特徴とする請求項１〜請求項６のいずれかに記載の包装袋。
【請求項８】
前記縦開封開始部を通る前記延伸方向に延びる直線状のマークまたは前記開封用切れ目に沿って配される直線状のマークを前記積層フィルムに印刷したことを特徴とする請求項１〜請求項７のいずれかに記載の包装袋。
【発明の詳細な説明】
【技術分野】
【０００１】
本発明は交差する２方向に開封可能な包装袋に関する。
【背景技術】
【０００２】
交差する２方向に開封可能な従来の包装袋は特許文献１に開示される。この包装袋は最内層に熱接着性樹脂層が配された積層フィルムを対向配置し、周縁を熱接着部により熱接着して密封されている。また、包装袋の熱接着部の内縁に沿って交差する二方向に延びる複数列のミシン目状の開封助成部が設けられている。これにより、開封助成部に沿って包装袋を引裂くことにより、包装袋を大きく開口させ、内容物の取り出しを容易に行うことができる。
【先行技術文献】
【特許文献】
【０００３】
【特許文献１】特許第５０３７１８１号
【発明の概要】
【発明が解決しようとする課題】
【０００４】
しかしながら、上記従来の包装袋によると、ミシン目状の開封助成部は積層フィルムを厚み方向に所定深さで切断した切り込みにより形成される。このため、輸送時等に切り込みにより形成した開封助成部に尖鋭物が引っかかるとピンホールが発生する可能性がある。このため、包装袋の交差する二方向の広い領域に開封助成部を設けると、ピンホールの発生率が高くなる問題があった。
【０００５】
本発明は上記問題点に鑑み、ピンホールの発生を低減して密封性の低下を防ぐことができる包装袋を提供することを目的とする。
【課題を解決するための手段】
【０００６】
上記目的を達成するために本発明は、積層フィルムの周縁を熱接着部により熱接着して内部に形成される収納部内に内容物を収納する包装袋において、前記積層フィルムが一方向に易引裂性を有し、前記熱接着部の外縁に始端を有して前記積層フィルムの易引裂方向に対して直交方向に延びるとともに前記収納部の前記易引裂方向の一端部に設けられる開封用切れ目と、前記開封用切れ目の終端側の前記収納部上を前記易引裂方向に引き裂くきっかけとなる縦開封開始部とを備えたことを特徴としている。
【０００７】
この構成によると、縦開封開始部を起点にして積層フィルムの易引裂方向に包装袋が容易に引裂かれる。また、開封用切れ目に沿って積層フィルムの易引裂方向と直交する方向に包装袋が容易に引裂かれる。
【０００８】
また本発明は、上記構成の包装袋において、前記縦開封開始部は前記易引裂方向において前記開封用切れ目と反対側の前記熱接着部の外縁に設けられた第１ノッチを有することを特徴としている。
【０００９】
また本発明は、上記構成の包装袋において、前記縦開封開始部は前記開封用切れ目と同じ側の前記熱接着部の外縁に第１ノッチに対向して設けられた第２ノッチを有することを特徴としている。
【００１０】
また本発明は、上記構成の包装袋において、前記開封用切れ目の終端が前記縦開封開始部を通る前記易引裂方向の直線上に配されることを特徴としている。
【００１１】
また本発明は、上記構成の包装袋において、前記縦開封開始部は前記開封用切れ目の終端から前記易引裂方向に連続する切り込みを有することを特徴としている。
【００１２】
また本発明は、上記構成の包装袋において、前記積層フィルムが一軸延伸フィルムを含み、前記一軸延伸フィルムの延伸方向と前記易引裂方向が一致することを特徴としている。
【００１３】
また本発明は、上記構成の包装袋において、前記開封用切れ目が一列のミシン目状に形成されることを特徴としている。
【００１４】
また本発明は、上記構成の包装袋において、前記縦開封開始部を通る前記延伸方向に延びる直線状のマークまたは前記開封用切れ目に沿って配される直線状のマークを前記積層フィルムに印刷したことを特徴としている。
【発明の効果】
【００１５】
本発明によると、縦開封助成部を起点にして積層フィルムの易引裂方向に包装袋を引裂き、開封用切れ目に沿って積層フィルムの易引裂方向と直交する方向に包装袋を引裂くことができる。これにより、包装袋を大きく開口して内容物を容易に取り出すことができる。このとき、ミシン目状の開封助成部を設ける領域を小さくすることにより、開封助成部におけるピンホールの発生を低減して包装袋の密封性の低下を防ぐことができる。
【図面の簡単な説明】
【００１６】
【図１】本発明の第１実施形態に係る包装袋の平面図
【図２】本発明の第１実施形態に係る包装袋を構成する積層フィルムの層構成を示す断面図
【図３】本発明の第２実施形態に係る包装袋の平面図
【図４】本発明の第３実施形態に係る包装袋の平面図
【図５】本発明の第３実施形態に係る包装袋の変形例を示す平面図
【図６】本発明の第４実施形態に係る包装袋の平面図
【発明を実施するための形態】
【００１７】
［第１実施形態］
以下に本発明の第１実施形態を図面を参照して説明する。図１は包装袋１０の平面図であり、図２は包装袋１０を構成する積層フィルム６０の層構成を示す断面図である。
【００１８】
包装袋１０は咳止めテープ等のシート状内容物を収納する袋であり、包装袋１０は基材層６１とバリア層６２と熱接着性樹脂層６３を含む積層フィルム６０で構成される。基材層６１は後述する一軸延伸フィルムから成り、一軸延伸フィルムの延伸方向（易引裂方向）をＹ方向とし、延伸方向に直交する方向をＸ方向とする。
【００１９】
包装袋１０は四角形状に予め断裁された積層フィルム６０を二枚用意して最内層の熱接着性樹脂層６３を対向させた後、内容物２０を挟持した状態で周縁を熱接着部１４により熱接着して形成する。これにより、包装袋１０内に内容物２０を密封する収納部１５が形成される。
【００２０】
収納部１５のＹ方向の一端部にはミシン目状の開封用切れ目１１が設けられている。開封用切れ目１１はＸ方向に延びるとともに両端は熱接着部１４の外縁に配される。また、開封用切れ目１１に沿って配される直線状のマーク（不図示）が積層フィルム６０に印刷されている。使用者はこの直線状のマークを目印にして包装袋１０の開封の起点を認識することができる。
【００２１】
なお、開封用切れ目１１は包装袋１０を構成する２枚の積層フィルム６０の両側に設けられており、開封用切れ目１１同士が一致するように配されている。また、開封用切れ目１１は内容物２０と熱接着部１４の間に配されており、包装袋１０の開封時、内容物２０が傷つくのを防止している。
【００２２】
開封用切れ目１１のミシン目は基材層６１を厚み方向に所定深さで切断した切込み６１ａ（図２参照）を所定間隔でＸ方向に設けて形成される。なお、開封用切れ目１１は一列のミシン目状に形成してもよいし、複数列のミシン目状に形成してもよい。開封用切れ目１１を一列のミシン目状に形成することにより、ピンホールの発生を防ぐことができる。また、開封用切れ目１１を複数列のミシン目状に形成することにより、ピンホールは発生しやすくなるが、包装袋１０が引裂き易くなる。
【００２３】
開封用切れ目１１を一列のミシン目状に形成する場合、複数列のミシン目状に形成する場合と比較して切込み６１ａの間隔を狭めることが好ましい。これにより、使用者が開封用切れ目１１に沿って包装袋１０を開封する際、開封方向が成り行きでＸ方向から逸れるのを防ぐことができる。
【００２４】
また、開封用切れ目１１をミシン目状に形成する代わりに基材層６１の厚み方向の一部まで切断して直線状のハーフカットを形成してもよい。
【００２５】
また、開封用切れ目１１の端縁に開封用の切り込みであるノッチ（不図示）を設けてもよい。これにより、ノッチを起点にして開封用切れ目１１を容易に引裂くことができる。また、使用者がノッチを目印にして包装袋１０の開封の起点を認識することができる。このため、開封用切れ目１１に沿って配された直線状のマーク（不図示）を省略することができる。なお、開封用切れ目１１の端縁に設けるノッチはＵ字状に形成することが好ましい。これにより、搬送時の衝撃などで開封用切れ目１１がノッチを起点にして開封されるのを防止することができる。
【００２６】
包装袋１０の熱接着部１４には第１ノッチ（縦開封開始部）１３ａ及び第２ノッチ（縦開封開始部）１３ｂが設けられている。第１ノッチ１３ａ及び第２ノッチ１３ｂは開封用切れ目１１の終端側の収納部１５上を延伸方向（Ｙ方向）に引き裂くきっかけとなる。第１ノッチ１３ａは開封用切れ目１１と反対側の端部の熱接着部１４上に設けられている。また、第１ノッチ１３ａは内容物２０と熱接着部１４の間に形成されており、包装袋１０の開封時、内容物が傷つくのを防止している。また、第２ノッチ１３ｂは開封用切れ目１１と同じ側の端部の熱接着部１４上に第１ノッチ１３ａに対向して設けられている。なお、ノッチ１３ａ、１３ｂを結ぶ一点鎖線がＹ方向の開封予定線１２となる。
【００２７】
図２は、包装袋１０を構成する積層フィルム６０の層構成を示す断面図である。包装袋１０を構成する積層フィルム６０は、最外層である基材層６１と最内層である熱接着性樹脂層６３と中間層であるバリア層６２を順次積層して構成される。各層は接着層６４、６５を介して接着している。なお、基材層６１の裏面には印刷層６６が設けられている。
【００２８】
基材層６１は包装袋１０に高い密封性、耐突き刺し（耐ピンホール）性、易引裂性等を付与するものであり、一軸延伸フィルムはフィルムの流れ方向（ＭＤ方向）に易引裂性及び優れた直線引裂性を有する。このため、一軸延伸フィルムのＭＤ方向をＹ方向に一致させて包装袋１０を製袋することにより、基材層６１の易引裂性を包装袋１０のＹ方向の引き裂き方向に利用することができる。一軸延伸フィルムとして具体的には、ナイロン、非晶性ポリエステル（Ａ−ＰＥＴ）、ポリエチレンテレフタレート、ポリエチレンナフタレート等の公知の樹脂を任意に選択することができる。また、これらの樹脂から選ばれた１種ないし２種以上を使用して基材層６１を形成してもよい。
【００２９】
また、基材層６１は一方向に易引裂性を有していればよく、二軸延伸フィルムを用いてもよい。二軸延伸フィルムの易引裂性はフィルムの製膜の工程または製膜後に延伸加工して付与される。延伸倍率としてフィルムの流れ方向（ＭＤ方向）の延伸倍率をＭＤとし、フィルムの巾方向（ＴＤ方向）の延伸倍率をＴＤとすると、ＭＤ方向に易引裂性を有するとは、ＭＤ／ＴＤ＞１となるものである。また、ＴＤ方向に易引裂性を有するとは、ＴＤ／ＭＤ＞１となるものである。したがって、包装袋１０のＹ方向と基材層６１の易引裂性方向とを一致させることにより、基材層６１の易引裂性を包装袋１０のＹ方向の引裂き方向に利用することができる。
【００３０】
二軸延伸フィルムとしては二軸延伸ポリアミドフィルム、二軸延伸ポリエステルフィルムが好ましく、二軸延伸ナイロンフィルム、二軸延伸ポリエチレンテレフタレートフィルムを用いることがより望ましい。また、二軸延伸ナイロンフィルムとしては各メーカーより、易引裂性フィルムが販売されており、例えば、出光石油化学（株）製の「ユニアスロン」が挙げられる。また、二軸延伸ポリエステルフィルムとしては、例えば、ユニチカ（株）製の「エンブレットＰＣ」が挙げられる。
【００３１】
バリア層６２は、例えば、外部から収納部１５の内部に水蒸気や酸素が浸入することを防止して収容部１５に収納される内容物２０の劣化を防止することができる。バリア層６２としては、例えば、エチレン−ビニルアルコール共重合体、アルミニウム、ニッケルなどの金属、又は、無機化合物、例えば、酸化珪素、アルミナ、シリカ等を蒸着したフィルムなどが挙げられる。
【００３２】
熱接着性樹脂層６３は熱によって溶融して対向する熱接着性樹脂層６３と融着して熱接着し得る樹脂で構成される。例えば、低密度ポリエチレン、中密度ポリエチレン、高密度ポリエチレン、エチレン・α−オレフィン共重合体、ポリプロピレン、エチレン・酢酸ビニル共重合体、アイオノマー樹脂、エチレン−アクリル酸エチル共重合体、エチレン−アクリル酸共重合体、エチレン−メタクリル酸共重合体、エチレン−プロピレン共重合体、メチルペンテンポリマー等のポリオレフィン系樹脂が挙げられる。また、これらのポリオレフィン系樹脂をアクリル酸、メタクリル酸、無水マレイン酸、フマール酸等の不飽和カルボン酸で変性した酸変性ポリオレフィン系樹脂を使用することができる。また、これらの樹脂から選ばれた１種ないし２種以上を使用して熱接着性樹脂層６３を形成してもよい。
【００３３】
また、熱接着性樹脂層６３に一方向に易引裂性を有するフィルムを用いて積層フィルム６０に易引裂性を付与してもよい。例えば、ポリアクリルニトリル（ＰＡＮ）の一軸延伸フィルムを用いることができる。これにより、熱接着性樹脂層６３の易引裂性を包装袋１０のＹ方向の引き裂き方向に利用することができる。
【００３４】
接着層６４、６５はドライラミネート用接着剤、溶融押出しされたポリオレフィン系樹脂等が用いられる。ただし、接着層６５は包装袋１０の引裂き性が低下するのを防止するため、バリア層６２と熱接着性樹脂層６３との接着強度が２Ｎ／１５ｍｍ以上になる樹脂を用いることが好ましい。
【００３５】
印刷層６６はインキ材を基材層６１又は中間層に印刷塗布して形成される。これにより、包装袋の外観側から印刷層６４が視認される。印刷層６４に用いられるインキ材はバインダー、着色剤、各種添加剤により構成することができる。着色剤として、有彩色着色顔料または無機系の着色顔料を使用することができる。
【００３６】
次に、包装袋１０の開封方法について説明する。使用者は最初に第１ノッチ１３ａ又は第２ノッチ１３ｂを起点にして開封予定線１２に沿って包装袋１０を引裂く。次に、開封用切れ目１１の端縁の一方を起点にしてＸ方向に包装袋１０を引裂く。これにより、包装袋１０を大きく開口して内容物を容易に取り出すことができる。このとき、開封用切れ目１１は一方向にしか設けられていないにも関わらず、二方向に交差する大きな開封口を形成することができる。したがって、開封用切れ目１１を設ける領域を小さくすることにより開封用切れ目１１におけるピンホールの発生を低減することができる。なお、使用者が最初に開封用切れ目１１に沿って包装袋１０を引裂いた場合、第２ノッチ１３ｂは使用されない。このため、第１ノッチ１３ａが設けてあれば、第２ノッチ１３ｂを省略してもよい。
【００３７】
なお、第１ノッチ１３ａ又は第２ノッチ１３ｂ近傍に数字の「１」を印刷し、開封用切れ目１１の端縁近傍に数字の「２」を積層フィルム６０に印刷してもよい。これにより、使用者が最初に第１ノッチ１３ａ又は第２ノッチ１３ｂを起点にして包装袋１０を引裂き、次に開封用切れ目１１に沿って包装袋１０を引裂くように誘導することができる。
【００３８】
本実施形態によると、基材層６１が一軸延伸フィルムを含み、熱接着部１４の外縁に始端を有して一軸延伸フィルムの延伸方向（Ｙ方向）に対して直交方向（Ｘ方向）に延びるとともに収納部１５の延伸方向（Ｙ方向）の一端部に設けられるミシン目状の開封用切れ目１１と、開封用切れ目１１の終端側の収納部１５上を延伸方向（Ｙ方向）に引き裂くきっかけとなる第１ノッチ１３ａ（縦開封開始部）とを設けた。これにより、第１ノッチ１３ａを起点にして一軸延伸フィルムの延伸方向（Ｙ方向）に包装袋１０を引裂き、開封用切れ目１１に沿って一軸延伸フィルムの延伸方向と直交する方向（Ｘ方向）に包装袋１０を引裂くことができる。したがって、包装袋１０を大きく開口して内容物２０を容易に取り出すことができる。このとき、開封用切れ目１１は一方向にしか設けられていないにも関わらず、二方向に交差する大きな開封口を形成することができる。したがって、開封用切れ目１１を設ける領域を小さくすることにより、開封用切れ目１１におけるピンホールの発生を低減して包装袋１０の密封性の低下を防ぐことができる。
【００３９】
また、開封用切れ目１１と同じ側の端部の熱接着部１４上に第１ノッチ１３ａに対向して第２ノッチ１３ｂを設けたことにより、使用者はＹ方向に包装袋１０を引裂く際に第２ノッチ１３ｂを起点とすることができる。これにより、利便性が向上する。
【００４０】
また、開封用切れ目１１を一列のミシン目状に形成することにより、開封を容易に行うことができるとともに開封用切れ目１１におけるピンホールの発生を防止することができる。
【００４１】
また、第１ノッチ１３ａから一軸延伸フィルムの延伸方向（Ｙ方向）に延びる直線状のマーク又は開封用切れ目１１に沿って配される直線状のマークを積層フィルム６０に印刷することにより、使用者はこの直線状のマークを目印にして包装袋１０の開封の起点を認識することができる。
【００４２】
[第２実施形態]
図３は第２実施形態に係る包装袋１０の平面図である。説明の便宜上、前述の図１、２に示す第１実施形態と同様の説明には同一の符号を付している。本実施形態の包装袋１０は開封用切れ目１１の終端が開封予定線１２上に配される。開封用切れ目１１を設ける領域をさらに小さくすることにより、開封用切れ目１１におけるピンホールの発生を低減することができる。また、第１ノッチ１３ａ又は第２ノッチ１３ｂを起点にして一軸延伸フィルムの延伸方向（Ｙ方向）に包装袋１０を引裂いた後、開封用切れ目１１に沿って一軸延伸フィルムの延伸方向と直交する方向（Ｘ方向）に包装袋１０を引裂くことができる。
【００４３】
[第３実施形態]
図４は第３実施形態に係る包装袋１０の平面図である。説明の便宜上、前述の図１、２に示す第１実施形態と同様の説明には同一の符号を付している。本実施形態の包装袋１０は開封用切れ目１１の一方の端縁が前記収納部の周縁よりも内側に配されるとともにＹ方向への引裂きの起点となる切込み（縦開封開始部）１１ａが形成されている。切込み１１ａは開封用切れ目１１の端縁に連続して形成されてＹ方向に延びている。また、切込み１１ａは基材層６１を厚み方向に所定深さで切断して形成される。
【００４４】
これにより、使用者は開封用切れ目１１に沿ってＸ方向に包装袋１０を引裂き、開封用切れ目１１の端縁で引裂き方向をＹ方向に変更する。このとき、切込み１１ａが起点となって一軸延伸フィルムの延伸方向に沿って包装袋１０をＹ方向に容易に引裂くことができる。
【００４５】
本実施形態によると、第１ノッチ１３ａ、第２ノッチ１３ｂを省略してＹ方向の開封を行うことができる。また、開封用切れ目１１を設ける領域を小さくすることにより、開封用切れ目１１におけるピンホールの発生を低減することができる。なお、本実施形態の包装袋１０に第１ノッチ１３ａ又は第２ノッチ１３ｂを設けてもよい。
【００４６】
なお、図５に示すように、本実施形態において、包装袋１の表裏の積層フィルム６０の表面側の切込み１１ａをＹ方向に形成し、裏面側の切込み１１ｂを開封予定線の内側からＹ方向に対して傾斜して形成してもよい。これにより、使用者が開封用切れ目１１に沿ってＸ方向の開封用切れ目１１の端縁まで包装袋１０を引裂いたとき、表面側の積層フィルム６０は開封用切れ目１１の端縁で止まり、裏面側の積層フィルム６０は切込み１１ｂの端縁まで開封される。次に、切込み１１ａに沿って表面側の積層フィルム６０を引裂くことにより、包装袋１の表面側の積層フィルム６０は開封用切れ目１１の端縁が突出する。使用者は突出した表面側の積層フィルム６０の端部を摘持して表面側の積層フィルム６０のみを切込み１１ａに沿ってＹ方向に引裂く。これにより、Ｙ方向の開封時に内容物２０を巻き込んで傷つけるのを防止することができる。
【００４７】
[第４実施形態]
図６は第４実施形態に係る包装袋１０の平面図である。説明の便宜上、前述の図１、２に示す第１実施形態と同様の説明には同一の符号を付している。本実施形態の包装袋１０は３辺を熱接着して形成される三方シールタイプの包装袋１０である。この包装袋１０は矩形状に予め断裁された積層フィルム６０を一枚用意して中央で折り返し、最内層の熱接着性樹脂層６３を対向させた後、内容物２０を挟持した状態で周縁を熱接着部１４により熱接着して包装袋１０内に内容物２０を密封する収納部１５を形成する。三方シールタイプの包装袋１０は積層フィルム６０に設けられた開封用切れ目１１同士を容易に一致させることができる。
【符号の説明】
【００４８】
１０              包装袋
１１              開封用切れ目
１２              開封予定線
１３ａ、１３ｂ    ノッチ（縦開封助成部）
１４              熱接着部
１５              収納部
２０              内容物
６０              積層フィルム
６１              基材層
６２              バリア層
６３              熱接着性樹脂層
６４、６５        接着層
６６              印刷層
【図１】
2015058952.tif 000003
【図２】
2015058952.tif 000004
【図３】
2015058952.tif 000005
【図４】
2015058952.tif 000006
【図５】
2015058952.tif 000007
【図６】
2015058952.tif 000008